(57)【特許請求の範囲】
【請求項１】
特定エリアに一時的に入出者が搬入して利用する物品の入出管理システムであって、
前記入出者が身につけて前記特定エリアに搬入するヘルメット(22)には、前記入出者を特定する入出者特定情報並びに前記入出者が身につけるヘルメット(22)を特定する物品特定情報を記憶したＩＣタグ(1)が取り付けられ、特定エリアの入出管理を行う場所にＩＣタグ(1)との間で電磁波通信を行う通信装置(2)を設け、前記入出者が身につけたヘルメット(22)が特定エリアに入出する際に前記通信装置(2)で読み取った前記入出者特定情報並びに物品特定情報により、入出者並びに入出者が身につけたヘルメット(22)の入出管理を行う管理装置(3)を設けたことを特徴とする入出管理システム。
【発明の詳細な説明】
【技術分野】
【０００１】
本発明は放射線を取り扱う原子力発電設備等の予め設定された特定エリアに一時的に搬入して利用する物品等の入出管理システムおよび入出管理方法に関する。
【背景技術】
【０００２】
例えば原子力発電設備における原子炉容器や放射線物質を取り扱う設備などを設置した区域、あるいは高速回転する機械類を設置した区域は、安全性の観点から関係者以外の立ち入りが制約される特別な区域（以下、特定エリアという。）に指定されることが多い。そして特定エリア内で保守・改修作業などを行う必要が生じた場合には、許可された作業者のみがその特定エリアへ入出できるように管理している。
【０００３】
特定エリア内で作業をする際には、作業者とともに治具、工具、用具その他作業に必要な物品を一時的に搬入し、それを利用して作業を行うが、作業後に特定エリア内に搬入した物品の一部を置き忘れたり紛失することがある。そのような置き忘れ等が発生すると運転再開後の機器等に損傷を与える危険性がある。そこで従来から、特定エリア内の物品の置き忘れ等を人為的に厳重にチェックするための管理体制を整えている。
【発明の開示】
【発明が解決しようとする課題】
【０００４】
しかし特定エリア内の物品の置き忘れ等を人為的に管理する方法は、それなりに効果はあるものの、チェックに多くの手間と時間を要するという問題がある。また作業工期の短い場合などにはチェックそのものが形骸化する恐れもある。さらに人為的なチェックのみではその時々の状況により結果が左右されるため信頼性に不安が残る。そこで本発明はこれら従来のチェック管理における問題を解決することを課題とし、そのための新しい入出管理システムおよび入出管理方法を提供することを目的とする。
【課題を解決するための手段】
【０００５】
前記課題を解決する本発明に係る入出管理システムは、特定エリアに一時的に入出者が搬入して利用する物品の入出管理システムであって、
前記入出者が身につけて前記特定エリアに搬入するヘルメット(22)には、前記入出者を特定する入出者特定情報並びに前記入出者が身につけるヘルメット(22)を特定する物品特定情報を記憶したＩＣタグ(1)が取り付けられ、特定エリアの入出管理を行う場所にＩＣタグ(1)との間で電磁波通信を行う通信装置(2)を設け、前記入出者が身につけたヘルメット(22)が特定エリアに入出する際に前記通信装置(2)で読み取った前記入出者特定情報並びに物品特定情報により、入出者並びに入出者が身につけたヘルメット(22)の入出管理を行う管理装置(3)を設けたことを特徴とする。
【発明の効果】
【００１２】
本発明に係る入出管理システムによれば、前記入出者が身につけて前記特定エリアに搬入するヘルメット22には、前記入出者を特定する入出者特定情報並びに前記入出者が身につけるヘルメット22を特定する物品特定情報を記憶したＩＣタグ１が取り付けられ、ヘルメット22に取り付けたＩＣタグ１からの入出者特定情報並びに物品特定情報により特定エリアに入出する入出者の特定並びに搬入または搬出するヘルメット22の管理を機械的に行うことができ、特定エリア内への入出者の入出並びにヘルメット22の置き忘れや紛失の確認等の管理を迅速且つ確実に実施できる。特に、身につけたヘルメット22で、入出者の管理とヘルメット22の管理とを同時に行うことができる効果がある。そのため物品数管理等に要する人員を大幅に削減できる。
【発明を実施するための最良の形態】
【００１５】
次に図面により本発明を実施するための最良の形態を説明する。図１は本発明の入出管理システムを構成するブロック図である。図中、１は物品に取り付けるＩＣタグ、２はＩＣタグ１と非接触の電磁波通信を行う通信装置、３は通信装置に接続した管理装置である。
【００１６】
ＩＣタグ１はアンテナコイル４と、アンテナコイル４で受信した信号を変換する受信部５と、受信部５の出力側に接続した制御部６と、制御部６に接続した記憶部７およびコンデンサで構成した電源部８と、制御部６から出力する送信信号を変換してアンテナコイル４に供給する送信部９を備えている。そして直径数ｃｍ程度のアンテナコイル４以外の各部は極めて小さいＩＣチップで構成される。
【００１７】
通信装置２は例えば市販されている携帯型のリーダライタ等を利用して構成することができる。この通信装置２はアンテナコイル１０と、アンテナコイル１０で受信した信号を変換する受信部１１と、受信部１１の出力側に接続した制御部１２と、制御部１２に接続された記憶部１３と、制御部１２からの送信信号を変換してアンテナコイル１０に供給する送信部１５を備えている。さらに制御部１２にはキーボード等の入力部１６、液晶ディスプレー等の表示部１７が接続される。なお制御部１２はマイクロコンピュータにより構成できる。
【００１８】
管理装置３は例えばパーソナルコンピュータにより構成することができ、前記通信装置２の制御部１２から有線または無線で伝送される物品特定情報や入出者特定情報と予め記憶したそれら情報を比較して入出管理を行う。そして図２に示すように、通信装置２および管理装置３は特定エリアＡの入出管理を行う場所、例えば入出ゲートＢ付近に設けた管理所Ｃに設置される。
【００１９】
図３は物品にＩＣタグを取り付けた例を示す模式的な図である。図３（ａ）は作業に利用する工具（図は例としてレンチを示す）２０にＩＣタグ１を接着剤等により取り付けた場合、図３（ｂ）は作業に利用する治具（図は例としてジャッキを示す）２１にＩＣタグ１を接着剤等により取り付けた場合である。
【００２０】
さらに図３（ｃ）は作業に利用する用具（図は例としてヘルメットを示す）２２にＩＣタグ１を接着剤等により取り付けた場合である。なおヘルメットは作業者等が身に付けて特定エリアに入出することが多いので、それに取り付けたＩＣタグ１は前記した特定エリアの入出者が保持するＩＣタグとしての機能を兼用することもできる。その場合にはＩＣタグに物品特定情報と入出者特定情報を記憶する。
【００２１】
次に図１の入出管理システムの作用を説明する。通信装置２で物品に取り付けたＩＣタグ１の情報を読み取る場合は、通信装置２の入力部１６から読み取り指令を制御部１２に入力する。すると制御部１２から一連の読み取り信号が出力され、その信号は送信部１５を介してアンテナ１０から電磁波Ｈとして発信され、その電磁波ＨによりＩＣタグ１のアンテナ４に受信信号としての電流が流れる。
【００２２】
アンテナ４で受信した最初の部分は電力として電源部８のコンデンサに貯えられ、その電力により制御部６等が駆動される。制御部６が駆動するとその駆動信号が送信部９を介してアンテンナ４から通信装置２に送信され、その信号はアンテナ１０から受信部１１を介して制御部１２に入力する。
【００２３】
次に制御部１２は読み取り信号の本体部分をＩＣタグ１に送信し、ＩＣタグ１の制御部６はそれによって記憶部７に記憶した物品特定情報を読み出して通信装置２に送信する。なお、これら一連の読み取り信号は通信装置２の記憶部１３に記憶された制御プログラムにより瞬時に完了する。
【００２４】
物品特定情報を受け取った制御部１２はその情報を管理装置３に伝送し、管理装置３はその情報をもとにその入出管理処理を行う。なお管理装置３は物品の登録や入出者の登録処理等も行うが、それら処理内容の詳細は後述する。
【００２５】
新しい物品を特定エリアに搬入する場合には、それに取り付けたＩＣタグ１の記憶部７には物品特定情報が記憶されていないときもある。そのような場合には通信装置２から物品特定情報をＩＣタグ１の記憶部７に記憶させることができる。
【００２６】
なお通信装置２から送信される一連の書き込み信号は前記読み取り信号の場合と同様である。ＩＣタグへの書き込み処理が終了したら、通信装置２の制御部１２から管理装置３に新しい物品特定情報を伝送し、管理装置３はその情報を記憶部または記憶装置に記憶して登録処理を行う。
【００２７】
図４は本発明の入出管理システムを運用するための準備段階のフローチャートである。先ずステップＳ１で特定エリアに持ち込む物品（例えば治具および工具）のリストを整備する。次にステップＳ２で特定エリアに入出する入出者（例えば入域を許可された入域作業員）のリストを整備する。
【００２８】
次にステップＳ３で持ち込み治工具等の物品に取り付けるＩＣタグ１および入域作業者等の入出者が保持するＩＣタグ１の登録処理を行う。そして最後にステップＳ４で登録したＩＣタグを物品に取り付け、または入出者に保持（携帯）させる。入出者にＩＣタグを保持させる形態は、例えば図３（ｃ）のヘルメットのように入出者が使用する用具に取り付ける方法があるが、他の方法としてＩＣタグ１を埋め込んだ名札やカード（いわゆるＩＣカード）の形態で入出者に保持させることもできる。
【００２９】
ステップＳ３におけるＩＣタグ１の登録処理を行うには、通信装置２によって各物品に取り付けたＩＣタグ１に当該物品を特定する物品特定情報を書き込むとともに、その情報を管理装置３に伝送して登録する。さらに通信装置２によって各入出者が保持すべきＩＣタグ１に当該入出者を特定する入出者特定情報を書き込むとともに、その情報を管理装置３に伝送して登録する。なおシステム運用中に新しいＩＣタグの登録が必要になったときは、前記の方法で新たなＩＣタグ１への特定情報の書き込みと管理装置３への登録処理を随時行う。
【００３０】
図５は本発明の入出管理システムの実施手順を示すフローチャートである。先ずステップＳ１０で特定エリアに物品を持ち込む入出者の確認を行う。確認は入出者（入出希望者）が保持するＩＣタグ１の入出者特定情報を通信装置２で読み取り、その読み取った情報を基に管理装置３が判断して行う。
【００３１】
具体的にはステップＳ１１のように、読み取った情報が管理装置３に予め登録されている入出者特定情報と一致するか否かを判断し、一致しない場合にはステップＳ１２で新たな登録が必要か否かを判断し、登録する場合はステップＳ１３で新しい入出者特定情報の登録処理を行ってステップＳ１５に移り、登録しない場合はステップＳ１４のように当該入出者（入出希望者）の特定エリアへの入域を拒否する。
【００３２】
ステップＳ１１で読み取った情報が管理装置３に予め登録されている入出者情報と一致したときはステップＳ１５に移り、読み取った入出者特定情報または新たに登録した入出者特定情報を保持する入出者が特定エリアに入域した日時を管理装置３の記憶装置に記憶する。
【００３３】
次にステップＳ１６で前記入出者が持ち込もうとする物品の確認を行う。確認は物品に取り付けたＩＣタグ１の物品特定情報を通信装置２で読み取り、その読み取った情報を基に管理装置３が判断して行う。
【００３４】
具体的にはステップＳ１７のように、読み取った情報が管理装置３に予め登録されている物品特定情報と一致するか否かを判断し、一致しない場合にはステップＳ１８で新たな登録が必要か否かを判断し、登録する場合はステップＳ１９で新しい物品特定情報の登録処理を行ってステップＳ２１に移り、登録しない場合はステップＳ２０のように当該物品の特定エリアへの持ち込みを拒否する。
【００３５】
ステップＳ１７で読み取った情報が管理装置３に予め登録されている入出者情報と一致したときは、ステップＳ２１に移り、そこで読み取った物品特定情報または新たに登録した物品特定情報を有する物品が特定エリアに持ち込まれた日時を管理装置３の記憶装置に記憶する。次に（必要に応じて）ステップＳ２２で入域する入出者および持ち込まれる物品の外観等を確認して入域および持ち込みを許可する。
【００３６】
次にステップＳ２２で特定エリアから退出する入出者および持ち出しする物品の外観確認を行う。次にステップＳ２３で退域する入出者が保持するＩＣタグ１の入出者特定情報を通信装置２が読み込み、ステップＳ２４でその入出者の退域日時を管理装置３の記憶装置に記憶する。次にステップＳ２５で持ち出す物品のＩＣタグ１の物品特定情報を通信装置２が読み込み、ステップＳ２６で読み込んだ物品の持ち出し日時を管理装置３の記憶装置に記憶する。
【００３７】
次に、例えば特定エリアでの一日の作業時間が終了した後、ステップＳ２７で管理装置３が特定エリアに入出者が残っているか否かを判断する。具体的には前記のように記憶した入出者特定情報に関する入域日時と退域日時から、入域したのに退域していない入出者を残存者として特定する。そして残存者があるときはステップＳ２３に戻り、前記手順を繰り返し、残存者がないときはステップＳ２８に移る。
【００３８】
ステップＳ２８では管理装置３が特定エリアに物品が残っているか否かを判断する。具体的には前記のように記憶した物品特定情報に関する持込日時と持ち出し日時から、持ち込んだのに持ち出していない物品を置き忘れや紛失した物品として特定する。そして置き忘れや紛失した物品が無いと判断した場合は当該日の入出管理を終了する。
【００３９】
ステップＳ２８で置き忘れや紛失した物品があると判断した場合は、ステップＳ２９でその物品が長期滞在物品として持ち込みを許可したものであるか否かを判断する。長期滞在物品である場合は、その滞在期限内であれば置き忘れや紛失した物品が無い場合と同様に当日の入出管理を終了する。また長期滞在物品でないと判断した場合はステップ３０で当該物品の捜索作業を行う。
【００４０】
捜索作業は当該物品を持ち込んだ入出者または事情を知る入出者を呼び出して行わせることが効率的である。そこでステップ３０では捜索作業を行う入出者が保持するＩＣタグ１の入出者特定情報を読み込み、管理装置３に伝送して新たな入域日時を記憶するとともに、その入出者の特定エリアへの入域を許可して捜索作業を行わせる。そしてシステムはステップＳ２３に戻って当該入出者の捜索作業が終了するまで前記手順を繰り返す。
【産業上の利用可能性】
【００４１】
本発明の入出管理システムおよび入出管理方法は、特定エリアへの物品の置き忘れや紛失等をチェックするために利用できる。
【図面の簡単な説明】
【００４２】
【図１】本発明の入出管理システムを構成するブロック図。
【図２】本発明の入出管理システムを適用する特定エリアを説明する模式的な平面図。
【図３】物品にＩＣタグを取り付けた例を示す模式的な図。
【図４】本発明の入出管理システムを運用するための準備段階のフローチャート。
【図５】本発明の入出管理システムの実施手順を示すフローチャート。
【符号の説明】
【００４３】
１  ＩＣタグ
２  通信装置
３  管理装置
４  アンテナコイル
５  受信部
６  制御部
７  記憶部
８  電源部
９  送信部
１０  アンテナコイル
【００４４】
１１  受信部
１２  制御部
１３  記憶部
１５  送信部
１６  入力部
１７  表示部
２０  工具
【００４５】
２１  治具
２２  用具
Ａ  特定エリア
Ｂ  入出力ゲート
Ｃ  管理所
Ｈ  電磁波
【図１】
0004782381.tif 000002
【図２】
0004782381.tif 000003
【図３】
0004782381.tif 000004
【図４】
0004782381.tif 000005
【図５】
0004782381.tif 000006